(57)【要約】【課題】記憶媒体の容量を増やすことなくスクリーンセーバーで様々な画像を表示させることができる画像音声再生装置を提供することである。【解決手段】記録媒体に記録された画像及び音声を再生するとともに、サーバ装置１２と電気通信可能な画像音声再生装置１０において、記録媒体の再生が一時停止状態又は停止状態であって、かつ所定時間静止画を出力している状態である場合、スクリーンセーバーを起動し、サーバ装置１２から少なくとも画像を受信してストリーミング再生する構成とする。【選択図】図１
2011142526.tif 000002
【特許請求の範囲】
【請求項１】
記録媒体に記録された画像及び音声を再生するとともに、サーバ装置と電気通信可能な画像音声再生装置において、
記録媒体の再生が一時停止状態又は停止状態であって、かつ所定時間静止画を出力している状態である場合、
スクリーンセーバーを起動し、前記サーバ装置から少なくとも画像を受信してストリーミング再生することを特徴とする画像音声再生装置。
【請求項２】
前記クリーンセーバーを起動した場合、前記サーバ装置から音声も受信してストリーミング再生することを特徴とする請求項１記載の画像音声再生装置。
【請求項３】
スクリーンセーバー用の画像を保持し、
前記サーバ装置に接続できない場合、前記スクリーンセーバーは前記スクリーンセーバー用の画像を出力することを特徴とする請求項１又は２記載の画像音声再生装置。
【発明の詳細な説明】
【技術分野】
【０００１】
本発明は、記録媒体に記録された画像及び音声を再生するとともに、サーバ装置と電気通信可能な画像音声再生装置に関する。
【背景技術】
【０００２】
パソコンをはじめ、光ディスクやハードディスクなどの記録媒体に記録された画像及び音声を再生する画像音声再生装置や記録媒体に録画もする画像音声記録再生装置にも、スクリーンセーバーを搭載しているものがある。画像音声再生装置や画像音声記録再生装置においては、通常、スクリーンセーバーで使用する画像は、装置のフラッシュメモリに記憶されるなど、装置内に格納されている。
【０００３】
本来、スクリーンセーバーの役割は画面の焼き付き防止であったが、液晶表示装置が主流となった現在ではその役割は薄れ、代わりにアクセサリーとしての役割が大きくなっている。そのため、スクリーンセーバーの様々な活用法が提案されている。
【０００４】
例えば特許文献１には、利用者端末は、端末立上げ時などに、コンテンツ配信元のＵＲＬとリンク情報のリストである再生リストを再生リスト管理サーバから取り寄せて保持し、利用者操作が一定時間以上停滞したことを検出すると、前記再生リストを参照してコンテンツ配信サーバからコンテンツの配信を受け、該コンテンツをスクリーンセーバー的に表示する構成が開示されている。
【０００５】
また特許文献２には、インターネット上にあるサーバ内に、広告等一般情報をスクリーンセーバー形式のデータに変換してデータベース化し、無料配布アクセスプログラムによりインターネット通信回線網を利用しサーバにアクセスをして、ユーザ（閲覧者）のパソコン等の情報端末機器画面上に広告等一般情報をスクリーンセーバーとして表示をする広告配信システムが開示されている。
【０００６】
また特許文献３には、ユーザがＤＶＤの再生画像から好きな動画像を選択し、その選択した動画像をスクリーンセーバー用の画像に設定することができる画像音声再生装置が開示されている。
【先行技術文献】
【特許文献】
【０００７】
【特許文献１】特開２００４−１２７１２８号公報
【特許文献２】特開２００２−１６３５５６号公報
【特許文献３】実用新案登録第３０９２６０７号公報
【発明の概要】
【発明が解決しようとする課題】
【０００８】
上記の特許文献１〜３も含め、アクセサリーとしての役割を果たすためには、ユーザを満足させるために様々な画像を表示させる必要がある。しかしながら、パソコンに比べて記憶容量が限られている画像音声再生装置においては、スクリーンセーバーのために様々な画像を保持しておくことは現実的でなく、単純な図形程度の画像を保持しておき表示させるのが一般的であった。
【０００９】
本発明は、記憶媒体の容量を増やすことなくスクリーンセーバーで様々な画像を表示させることができる画像音声再生装置を提供することを目的とする。
【課題を解決するための手段】
【００１０】
上記目的を達成するために本発明は、記録媒体に記録された画像及び音声を再生するとともに、サーバ装置と電気通信可能な画像音声再生装置において、記録媒体の再生が一時停止状態又は停止状態であって、かつ所定時間静止画を出力している状態である場合、スクリーンセーバーを起動し、前記サーバ装置から少なくとも画像を受信してストリーミング再生することを特徴とする。
【００１１】
この構成によれば、スクリーンセーバーとして、サーバ装置から画像を受信してストリーミング再生する。
【００１２】
上記の画像音声再生装置において、ユーザの満足度を向上させる観点から、前記クリーンセーバーを起動した場合、前記サーバ装置から音声も受信してストリーミング再生するようにしてもよい。
【００１３】
また上記の画像音声再生装置において、サーバ装置に接続できない場合を想定して、スクリーンセーバー用の画像を保持し、前記サーバ装置に接続できない場合、前記スクリーンセーバーは前記スクリーンセーバー用の画像を出力することが望ましい。
【発明の効果】
【００１４】
本発明によると、サーバ装置から画像を受信してストリーミング再生することにより、画像音声再生装置では記憶媒体の容量を増やすことなく、スクリーンセーバーで様々な画像を表示させることができる。また、スクリーンセーバーがアクセサリーとしての役割を果たし、ユーザを満足させることができる。
【図面の簡単な説明】
【００１５】
【図１】本発明のＨＤＤ一体型光ディスク装置の構成及びその周辺機器を示すブロック図である。
【図２】本発明のＨＤＤ一体型光ディスク装置のスクリーンセーバー起動までの動作を示すフローチャートである。
【図３】本発明のＨＤＤ一体型光ディスク装置のスクリーンセーバーの動作を示すフローチャートである。
【発明を実施するための形態】
【００１６】
以下、画像音声再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、インターネット１４を介して各種データを配信するサーバ装置１２とが接続されている。またＨＤＤ一体型光ディスク装置１０は、リモコン１３によって操作可能である。以下では、光ディスクとしてＢＤ（Blu-ray Disc）を例に説明する。
【００１７】
ＨＤＤ一体型光ディスク装置１０は、アンテナ１５で受信したテレビ放送信号を復調、デジタル化するチューナ１６と、チューナ１６やサーバ装置１２から受け取った画像音声データをＭＰＥＧ２等に準拠して圧縮符号化したり、ＨＤＤ記録再生部１８又はＢＤ／ＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＢＤに記録したり、ＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの画像信号を表示装置１１へ出力する画像出力部２１と、画像音声圧縮伸長部１７からの音声信号を表示装置１１へ出力する音声出力部２２と、ＲＯＭやＲＡＭからなるメモリ２３と、リモコン１３からの信号を受信するリモコン受信部２４と、インターネット１４に接続されるネットワークＩ／Ｆ２５と、ＨＤＤ一体型光ディスク装置１０の各部を制御する制御部２６とを備えている。
【００１８】
また、制御部２６は、記録媒体（ＨＤＤ、ＢＤ、ＤＶＤなど）の再生が一時停止状態又は停止状態であって、かつ所定時間静止画を出力している状態である場合、スクリーンセーバーを起動し、サーバ装置１２から画像を受信してストリーミング再生する制御も行う。なお、画像と一緒に音声も受信してストリーミング再生するようにしてもよい。
【００１９】
上記の記録媒体の再生が一時停止状態であって所定時間静止画を出力している状態とは、例えば、ユーザがＢＤなどを視聴している際にリモコン１３の一時停止キーを操作した場合に、ＨＤＤ一体型光ディスク装置１０が再生を一時停止してその時点の再生画像を静止させて表示装置１１に表示させている状態が所定時間継続している状態である。
【００２０】
また、上記の記録媒体の再生が停止状態であって所定時間静止画を出力している状態とは、例えば、記録媒体が再生されておらず、メニュー画面などの静止画を表示した状態でユーザの操作が所定時間ない状態である。
【００２１】
上記のスクリーンセーバーのプログラム自体はメモリ２３に格納されており、それを実行することでスクリーンセーバーが起動する。スクリーンセーバーの動作としては、予め指定されているサーバ装置１２にアクセスしてスクリーンセーバー用の画像を要求し、それに応答したサーバ装置１２から配信されてくる画像（及び音声）を受信して画像音声圧縮伸長部１７に送ることでストリーミング再生し、表示装置１１へ出力する。
【００２２】
サーバ装置１２から配信されるデータ形式は、ＨＤＤ一体型光ディスク装置１０で再生できる形式であれば特に限定はなく、ＭＰＥＧ、ＡＶＩなどを採用することができる。
【００２３】
サーバ装置１２は、ここではインターネット１４を介してＨＤＤ一体型光ディスク装置１０の製造者等が提供している外部のサーバ装置を想定しているが、サーバ装置１２の設置場所や通信手段に特に限定はなく、例えば、家庭内のパソコンをサーバ装置としてＬＡＮ接続するようにしてもよい。この場合、予めユーザがそのパソコンをサーバ装置１２としてＨＤＤ一体型光ディスク装置１０に登録する必要がある。
【００２４】
また、ＨＤＤ一体型光ディスク装置１０は、メモリ２３又はＨＤＤにスクリーンセーバー用の単純な画像（及び音声）を保持しておいてもよい。その際、画像（及び音声）はメモリ２３又はＨＤＤの容量を圧迫しない程度の小さなサイズのものとする。そして、制御部２６は、スクリーンセーバーの起動時にサーバ装置１２に接続できない場合に、保持しているスクリーンセーバー用の画像（及び音声）を出力するように制御する。
【００２５】
以下、スクリーンセーバーに関する動作の一例を説明する。図２は、ＨＤＤ一体型光ディスク装置１０のスクリーンセーバー起動までの動作を示すフローチャートである。まず、ステップＳ１０において、記録媒体（ＨＤＤ、ＢＤ、ＤＶＤなど）の再生が一時停止状態又は停止状態であるか否かを判別する。
【００２６】
ステップＳ１０において再生が一時停止状態又は停止状態である場合は、ステップＳ１１へ進んで静止画を出力している状態であるか否かを判別する。ステップＳ１１において静止画を出力している状態の場合は、ステップＳ１２へ進んで計時を開始し、その静止画の状態の継続時間を計測する。一方、ステップＳ１１において静止画を出力していない場合は、ステップＳ１０に戻る。
【００２７】
ステップＳ１２からはステップＳ１３へ進んで計測時間が所定時間（例えば、３分間）経過したか否かを判別する。ステップＳ１３において所定時間経過している場合は、ステップＳ１４へ進んでスクリーンセーバーを起動する。
【００２８】
一方、ステップＳ１３において所定時間経過していない場合は、ステップＳ１５へ進んでユーザによる操作があったか否かを判別する。ユーザによってリモコン１３が何らかの操作をされれば、計時を終了してステップＳ１０に戻る。一方、ステップＳ１５において操作がない場合は、ステップＳ１３に戻る。スクリーンセーバーの動作については、次に図３を用いて説明する。
【００２９】
図３は、ＨＤＤ一体型光ディスク装置１０のスクリーンセーバーの動作を示すフローチャートである。図２のステップＳ１４でスクリーンセーバーが起動すると、ステップＳ２０においてインターネット１４に接続されているか否かを判別する。ステップＳ２０においてインターネット１４に接続されている場合は、ステップＳ２１へ進んでサーバ装置１２にアクセスしてスクリーンセーバー用の画像を要求する。
【００３０】
そして、ステップＳ２２へ進んでサーバ装置１２から接続許可の応答があり、スクリーンセーバー用の画像を受信できる状態になったか否かを判別する。ステップＳ２２において接続、受信できる状態になれば、ステップＳ２３へ進んで画像データの受信を開始し、ストリーミング再生して表示装置１１へ出力する。
【００３１】
これにより、ＨＤＤ一体型光ディスク装置１０では記憶媒体の容量を増やすことなく、スクリーンセーバーで動画を表示させることができる。
【００３２】
次にステップＳ２４へ進んで画像データの受信が途切れたか否かを判別する。ステップＳ２４において画像データの受信が途切れた場合は、バッファ中の画像データがなくなればストリーミング再生が途切れるので、ステップＳ２０に戻る。一方、ステップＳ２４において画像データの受信が途切れていない場合は、ステップＳ２５へ進んでユーザによる操作があったか否かを判別する。ユーザによってリモコン１３が何らかの操作をされれば、サーバ装置１２との接続を断ち、スクリーンセーバーを終了し、ユーザの操作を実行する。一方、ステップＳ２５において操作がない場合は、ステップＳ２４に戻る。
【００３３】
ところで、ステップＳ２０においてインターネット１４に接続されていない場合、又はステップＳ２２において接続、受信できる状態にない場合は、ステップＳ２６へ進んで、メモリ２３又はＨＤＤに保持しているスクリーンセーバー用の画像を出力し、ステップＳ２５へ進む。
【００３４】
これにより、サーバ装置１２と接続できない場合でも、スクリーンセーバーを実行することができる。
【００３５】
なお本発明において、サーバ装置１２はスクリーンセーバー用の画像を複数保持していてもよい。この場合、サーバ装置１２が任意にどの画像を配信するか決定してもよいし、ＨＤＤ一体型光ディスク装置１０が何れかの画像を選択してもよい。ＨＤＤ一体型光ディスク装置１０が選択する場合は、ＨＤＤ一体型光ディスク装置１０が予めサーバ装置１２から画像のリストをダウンロードしておき、ユーザが予めメニュー画面などにおいてそのリストから所望の画像を選択しておけばよい。
【産業上の利用可能性】
【００３６】
本発明は、光ディスクやハードディスクなどの記録媒体に記録された画像及び音声を再生する画像音声再生装置や記録媒体に録画もする画像音声記録再生装置に利用することができる。例えば、ＢＤ・ＤＶＤプレーヤ、ＢＤ・ＤＶＤレコーダ、ＨＤＤレコーダ、ＨＤＤ一体型ＢＤ・ＤＶＤレコーダなどが挙げられる。
【符号の説明】
【００３７】
１０  ＨＤＤ一体型光ディスク装置（画像音声再生装置）
１２  サーバ装置
【図１】
2011142526.tif 000003
【図２】
2011142526.tif 000004
【図３】
2011142526.tif 000005